(57)【要約】【課題】多様な部位に対して一人でも貼付しやすく、貼り損じを少なくすることができる絆創膏を提供する。【解決手段】絆創膏１０は、粘着剤の層が片面に付された支持体２と、粘着剤の層上の一部に配置された、傷口を保護する保護パッド１と、片面との間に保護パッド１及び粘着剤を介在させて、片面を覆う剥離部材３とを備える。剥離部材３は、保護パッド１を覆う剥離部材３の少なくとも一部が片面から剥がされた場合に、剥離部材３の一部が片面から剥がされていない状態での位置よりも保護パッド１から離れた位置に剥離部材３の一部を維持する折り返し部７を有する。【選択図】図１
2020174837.tif 000002
【特許請求の範囲】
【請求項１】
粘着剤の層が片面に付された支持体と、
前記粘着剤の層上の一部に配置された、傷口を保護する保護パッドと、
前記片面との間に前記保護パッド及び前記粘着剤を介在させて、前記片面を覆う剥離部材とを備え、
前記剥離部材は、
前記保護パッドを覆う前記剥離部材の少なくとも一部が前記片面から剥がされた場合に、前記剥離部材の一部が前記片面から剥がされていない状態での位置よりも前記保護パッドから離れた位置に前記剥離部材の一部を維持する折り返し部を有する、
絆創膏。
【請求項２】
前記折り返し部は、
前記片面側からの平面視において、前記保護パッドに重ならない位置にある、
請求項１に記載の絆創膏。
【請求項３】
前記折り返し部は、
２つであって、
前記片面側からの平面視において、一方の前記折り返し部と他方の前記折り返し部との間に前記保護パッドが位置する、
請求項１又は２に記載の絆創膏。
【請求項４】
前記折り返し部は、
前記片面側からの平面視において、前記支持体の長手方向に対して垂直に設けられた線状の折り返し加工である、
請求項１から３のいずれか一項に記載の絆創膏。
【請求項５】
前記片面側からの平面視において、前記折り返し部から前記支持体の長手方向における前記保護パッドの近い方の端までの距離が、
０〜１０ｍｍである、
請求項１から４のいずれか一項に記載の絆創膏。
【請求項６】
前記剥離部材は、
前記片面側からの平面視において、前記支持体の長手方向の一端から他端に向かって前記保護パッドに達するまでの部分を覆う第１の剥離部材と、
前記片面側からの平面視において、前記支持体の長手方向の前記他端から前記一端に向かって前記保護パッドを超えて前記第１の剥離部材の上に重なる第２の剥離部材と、
を備える、
請求項１から５のいずれか一項に記載の絆創膏。
【請求項７】
前記第１の剥離部材は、
前記長手方向における前記保護パッド側の一端が前記保護パッドと反対側に折り返された摘み部を有し、
前記第２の剥離部材は、
前記第１の剥離部材と重なる部分である延在部を有する、
請求項６に記載の絆創膏。
【請求項８】
前記摘み部の前記長手方向の幅が、
３〜１５ｍｍである、
請求項７に記載の絆創膏。
【請求項９】
前記延在部の前記長手方向の幅が、
４〜２０ｍｍである、
請求項７又は８に記載の絆創膏。
【発明の詳細な説明】
【技術分野】
【０００１】
本発明は、絆創膏に関する。
【背景技術】
【０００２】
切り傷等の応急処置として、絆創膏が利用されている。傷口に絆創膏を貼付することにより、傷口を保護し、傷口の治癒を促す効果が期待される。
【０００３】
一般的に、救急絆創膏は、粘着テープ、傷口を保護する保護パッド及び剥離紙（セパレータ）を備えている。剥離紙は、粘着テープの粘着面側の保護パッド上又は近傍から長手方向の一端までを剥離可能に被覆する第１の剥離紙と、保護パッド上又は近傍で第１の剥離紙と重なり、長手方向の他端までを剥離可能に被覆する第２の剥離紙からなる。
【０００４】
絆創膏の使用の際は、保護パッド全体が見える程度まで第１の剥離紙及び第２の剥離紙の少なくとも一方を剥がし、保護パッドを傷口にあて、剥離紙を片方ずつ剥がしながら貼付する。このとき、保護パッドに指が触れることで保護パッドが汚れたり、粘着テープに指が触れることで粘着テープの粘着力が低下したりすることがあった。また、保護パッドを露出させるために途中まで剥がした剥離紙は、手を放すと剥離前の状態に戻ろうとするため、剥離紙を押さえながら粘着テープを貼付しなければならず、作業が煩雑で、一人で貼付するには難しい場合があった。
【０００５】
特許文献１には２枚の剥離紙が保護パッドから外れた位置で重なり合う救急絆創膏が開示されている。当該救急絆創膏によれば、剥離紙を剥離する際、保護パッドに指が触れにくい。
【０００６】
特許文献２に開示された救急絆創膏では、保護パッドが粘着テープの端部に配置されているため、簡単に救急絆創膏を患部に貼り付けることができる。特許文献３に開示された絆創膏では、背面に貼り付けられた粘着素材を介して指に絆創膏を保持して傷口に絆創膏を貼り付けるため、保護パッド及び粘着テープに指が触れにくい。
【先行技術文献】
【特許文献】
【０００７】
【特許文献１】実開平２−６３８３３号公報
【特許文献２】登録実用新案第３０２５５０２号公報
【特許文献３】特開２０１２−２４５３２号公報
【発明の概要】
【発明が解決しようとする課題】
【０００８】
特許文献１に開示された救急絆創膏は、途中まで剥がした剥離紙を押さえながら貼付しなければならないため、貼付時の操作性が好ましくない。また、特許文献２に開示された救急絆創膏は、使用部位が限定されるため、汎用性が高くない。また、特許文献３に開示された絆創膏は、構造が複雑であるため、製造効率及びコストの面で好ましくない。
【０００９】
本発明は、上記実情に鑑みてなされたものであり、多様な部位に対して一人でも貼付しやすく、貼り損じを少なくすることができる絆創膏を提供することを目的とする。
【課題を解決するための手段】
【００１０】
本発明の観点に係る絆創膏は、
粘着剤の層が片面に付された支持体と、
前記粘着剤の層上の一部に配置された、傷口を保護する保護パッドと、
前記片面との間に前記保護パッド及び前記粘着剤を介在させて、前記片面を覆う剥離部材とを備え、
前記剥離部材は、
前記保護パッドを覆う前記剥離部材の少なくとも一部が前記片面から剥がされた場合に、前記剥離部材の一部が前記片面から剥がされていない状態での位置よりも前記保護パッドから離れた位置に前記剥離部材の一部を維持する折り返し部を有する。
【００１１】
この場合、前記折り返し部は、
前記片面側からの平面視において、前記保護パッドに重ならない位置にある、
こととしてもよい。
【００１２】
また、前記折り返し部は、
２つであって、
前記片面側からの平面視において、一方の前記折り返し部と他方の前記折り返し部との間に前記保護パッドが位置する、
こととしてもよい。
【００１３】
また、前記折り返し部は、
前記片面側からの平面視において、前記支持体の長手方向に対して垂直に設けられた線状の折り返し加工である、
こととしてもよい。
【００１４】
また、前記片面側からの平面視において、前記折り返し部から前記支持体の長手方向における前記保護パッドの近い方の端までの距離が、
０〜１０ｍｍである、
こととしてもよい。
【００１５】
また、前記剥離部材は、
前記片面側からの平面視において、前記支持体の長手方向の一端から他端に向かって前記保護パッドに達するまでの部分を覆う第１の剥離部材と、
前記片面側からの平面視において、前記支持体の長手方向の前記他端から前記一端に向かって前記保護パッドを超えて前記第１の剥離部材の上に重なる第２の剥離部材と、
を備える、
こととしてもよい。
【００１６】
また、前記第１の剥離部材は、
前記長手方向における前記保護パッド側の一端が前記保護パッドと反対側に折り返された摘み部を有し、
前記第２の剥離部材は、
前記第１の剥離部材と重なる部分である延在部を有する、
こととしてもよい。
【００１７】
また、前記摘み部の前記長手方向の幅が、
３〜１５ｍｍである、
こととしてもよい。
【００１８】
また、前記延在部の前記長手方向の幅が、
４〜２０ｍｍである、
こととしてもよい。
【発明の効果】
【００１９】
本発明によれば、多様な部位に対して一人でも貼付しやすく、貼り損じを少なくすることができる。
【図面の簡単な説明】
【００２０】
【図１】本発明の実施の形態に係る絆創膏を示す平面図である。
【図２】図１に示すＡ−Ａ’二点破線で切断した絆創膏の矢視図である。
【図３】図２に示す絆創膏の剥離部材を折り返し部まで剥がした状態を示す図である。
【図４】本発明の別の実施の形態に係る絆創膏を示す平面図である。
【図５】折り返し線がある絆創膏の有用性に関する評価結果を示す図である。
【図６】折り返し線がある絆創膏の貼付時の操作性に関する評価結果を示す図である。
【図７】折り返し線の必要性に関する評価結果を示す図である。
【発明を実施するための形態】
【００２１】
本発明に係る実施の形態について図面を参照しながら説明する。なお、本発明は下記の実施の形態によって限定されるものではない。
【００２２】
図１は、本実施の形態に係る絆創膏１０を示す。絆創膏１０は、絆創膏１０の使用時に傷口を保護する保護パッド１と、保護パッド１を支持する支持体２と、支持体２に貼り合わされている剥離部材３と、を備える。保護パッド１は、綿、化学繊維及び不織布等の公知の材料で形成される。保護パッド１には、消毒液等の薬剤を含浸させてもよい。
【００２３】
図２は、図１におけるＡ−Ａ’二点鎖線で絆創膏１０を切断し、矢視したときの絆創膏１０を示す。支持体２の片面Ｓ上には、粘着剤４が層として付されている。粘着剤４は、常法によって、例えば、片面Ｓに塗布されて片面Ｓに層を形成する。粘着剤４は、特に限定されず、人体、特に皮膚に使用可能な粘着剤である。
【００２４】
保護パッド１は、粘着剤４を介して片面Ｓに設けられている。より詳細には、保護パッド１は、粘着剤４の層上の一部に配置される。支持体２は、例えば合成樹脂フィルム等の絆創膏に使用される公知の基材で形成される。合成樹脂フィルムとしては、ポリ塩化ビニル、ポリオレフィン及びポリウレタン等のフィルムが挙げられる。
【００２５】
剥離部材３は、粘着剤４を介して支持体２の片面Ｓに貼り付けられている。すなわち、剥離部材３は片面Ｓを覆っており、剥離部材３と支持体２の片面Ｓとの間には保護パッド１及び粘着剤４が介在している。剥離部材３としては、一般に絆創膏で使用される紙又はプラスチック製ライナー等を使用できる。
【００２６】
剥離部材３は、剥離部材３ａと剥離部材３ｂとを備える。図１に戻って、剥離部材３ａは、片面Ｓ側からの平面視において、支持体２の長手方向Ｄの一端Ｘから他端Ｙに向かって保護パッド１に達するまでの部分を覆う。剥離部材３ａは、長手方向Ｄにおける保護パッド１側の一端Ｚが保護パッド１と反対側に折り返された摘み部５を有する。図２に示すように、摘み部５の長手方向Ｄの幅ｗ１は、特に制限はないが、３〜１５ｍｍ、好ましくは５〜１５ｍｍ、より好ましくは５〜１２ｍｍである。
【００２７】
図１に戻って、剥離部材３ｂは、支持体２の長手方向Ｄの他端Ｙから一端Ｘに向かって保護パッド１を超えて剥離部材３ａの上に重なる。剥離部材３ｂにおける剥離部材３ａと重なる部分を延在部６とする。好ましくは、延在部６の、一端Ｘ側の端は、摘み部５の、一端Ｘ側の端よりも一端Ｘに近い。図２に示すように、例えば、延在部６の長手方向Ｄの幅ｗ２は、特に制限はないが、４〜２０ｍｍ、好ましくは６〜１６ｍｍ、より好ましくは６〜１３ｍｍである。
【００２８】
図３に示すように、剥離部材３は、保護パッド１を覆う剥離部材３の少なくとも一部が片面Ｓから剥がされた場合に、剥離部材３の当該一部が片面Ｓから剥がされていない状態での位置よりも保護パッド１から離れた位置に剥離部材３の当該一部を維持する折り返し部７を有する。好ましくは、折り返し部７は、図１に示すように片面Ｓ側からの平面視において、保護パッド１に重ならない位置にある。
【００２９】
より具体的には、折り返し部７は、支持体２の長手方向Ｄに対して垂直に設けられた線状の折り返し加工である。折り返し加工は、保護パッド１を覆う剥離部材３の少なくとも一部を保護パッド１と反対側に折り返した際、剥離部材３の当該一部が片面Ｓから剥がされていない状態での位置よりも保護パッド１から離れた位置に剥離部材３の当該一部を維持できれば特に限定されず、任意の加工方法が採用できる。折り返し加工は、例えば、ミシン目加工及びスジ加工等である。ミシン目加工及びスジ加工は、公知の技術により形成することができる。ミシン目加工の場合、ピッチは任意であるが、例えば、切れ目の長さが２〜１０ｍｍで、切らない部分の長さが１．５〜３ｍｍである。
【００３０】
折り返し部７の位置は、保護パッド１上を避けて、かつ保護パッド１から離れすぎないのが好ましい。好適には、折り返し部７は、保護パッド１の近傍に設けられる。図１に示す片面Ｓ側からの平面視において、折り返し部７から支持体２の長手方向Ｄにおける保護パッド１の近い方の端Ｅまでの距離ｄ１は、０〜１０ｍｍ、好ましくは０〜５ｍｍ、より好ましくは０〜２ｍｍである。
【００３１】
続いて、絆創膏１０の使用方法について説明する。まず使用者は、延在部６を摘み、剥離部材３ｂを支持体２から剥がす。この際、図３に示すように、剥離部材３ｂを折り返し部７まで剥離し、保護パッド１を露出させる。このとき、折り返し部７に沿って、剥離部材３ｂの一部が保護パッド１から離れた状態で癖づけられ、剥離部材３ｂが剥離前の状態に戻ることを抑制できる。続けて、絆創膏１０の端部と剥離した剥離部材３ｂを同時に摘み、保護パッド１を傷口にあて、剥離部材３ａ、３ｂを片方ずつ剥がしながら、粘着剤４を介して支持体２を皮膚に貼り付ける。
【００３２】
以上詳細に説明したように、本実施の形態に係る絆創膏１０は、折り返し部７を備えることで、剥離部材３ｂを支持体２から剥がした際、剥離部材３ｂが剥離前の状態に戻ることを抑制できる。このため、多様な部位に対して一人でも貼付しやすく、貼り損じを少なくすることができる。これにより、絆創膏１０の貼付時の操作性が向上し、保護パッド１を傷口に簡便にあてることができ、指が触れることによる保護パッド１の汚染を防止できる。剥離部材３ｂの一部が保護パッド１から離れた状態で維持できるため、折り返し部７から他端Ｙ側の部分に対向する支持体２の部分を剥離部材３ｂから剥がさなくても保護パッド１を傷口にあてやすい。このため、片面Ｓに不要に指が触れることによる粘着剤４の粘着力の低下を防止できる。さらに、折り返し加工等の折り返し部７は容易に形成できるため、絆創膏１０を効率的に、かつ低コストで製造できる。
【００３３】
なお、保護パッド１及び支持体２は、一般的に絆創膏で使用する素材及び加工方法で形成すればよい。これにより、安全性及び信頼性を確保でき、かつ、製造コスト等を比較的安価にできる。
【００３４】
本実施の形態に係る絆創膏１０において、折り返し部７は、保護パッド１に重ならない位置、特には、折り返し部７から保護パッド１の端Ｅまでの距離ｄ１が０〜１０ｍｍであるのが好ましいこととした。こうすることで、図３に示された剥離部材３ｂの一部が保護パッド１から離れた状態で維持されたときに、保護パッド１全体を露出させることができるので、傷口に保護パッド１をあてやすい。また、距離ｄ１が短いことで、剥離部材３ｂの一部が保護パッド１から離れた状態において粘着剤４が露出しないようにできるため、指が触れることによる粘着剤４の粘着力の低下を極力防止できる。
【００３５】
また、折り返し部７は、支持体２の長手方向Ｄに対して垂直に設けられた線状の折り返し加工であってもよいこととした。線状の折り返し加工は、簡便な方法で施すことができるため、製造コストを抑えることができる。
【００３６】
また、剥離部材３ａ及び剥離部材３ｂは、それぞれ摘み部５及び延在部６を有してもよいこととした。摘み部５及び延在部６を有することで、剥離起点がわかりやすくなり、剥離する際に剥離部材３ａ及び３ｂを摘みやすくなる。延在部６の、一端Ｘ側の端が摘み部５の、一端Ｘ側の端よりも一端Ｘに近いことで、片面Ｓ側からの平面視において延在部６が摘み部５よりも一端Ｘ側にはみ出るため剥離部材３ｂを摘みやすい。この結果、剥離時の操作性がさらに向上する。
【００３７】
別の実施の形態に係る絆創膏２０は、折り返し部７の個数が絆創膏１０と異なる。図４を参照して、絆創膏２０について絆創膏１０と異なる点を主に説明する。絆創膏２０において、剥離部材３ａ及び剥離部材３ｂは、それぞれ折り返し部７ａ及び７ｂを有する。保護パッド１は、片面Ｓ側からの平面視において、折り返し部７ａと折り返し部７ｂとの間に位置する。絆創膏２０では、剥離部材３ｂと同様に、剥離部材３ａを支持体２から剥がした際、剥離部材３ａが剥離前の状態に戻ることを抑制できる。これにより、絆創膏２０の貼付時の操作性をより向上させることができる。
【００３８】
なお、折り返し部７、７ａ、７ｂの位置は、保護パッド１上であってもよい。また、絆創膏１０において、剥離部材３が剥離部材３ａと剥離部材３ｂとから構成されるようにしたが、剥離部材３は支持体２の長手方向Ｄの一端Ｘから他端Ｙまで１枚で覆うように形成してもよい。
【実施例】
【００３９】
以下の実施例により、本発明をさらに具体的に説明するが、本発明は実施例によって限定されるものではない。
【００４０】
実施例として、図１に示す構造の絆創膏を製造した。実施例に係る絆創膏は、折り返し部７としてミシン目加工の折り返し線を有する。比較例として、剥離部材に折り返し部を有していない絆創膏を製造した。
【００４１】
（貼付試験）
折り返し線を評価するために、被験者１０名が左手人差し指に、実施例及び比較例に係る絆創膏を自身で貼付した。実施例に係る絆創膏に関して、次の評価項目について、評価した。評価項目は、折り返し線が役に立ったか否か（有用性評価）、貼りやすさ（操作性評価）及び折り返し線が必要か否か（必要性評価）である。
【００４２】
有用性評価に関して、図５に示すように１０人中９人が、折り返し線が役に立ったと評価した。操作性評価に関して、図６に示すように１０人中９人が、比較例と比較して貼りやすくなったと評価した。必要性評価に関して、図７に示すように１０人中９人が、折り返し線が必要であると評価した。貼付試験の結果から明らかなように、実施例に係る絆創膏は、比較例の絆創膏と比較して、貼付時の操作性に優れる。折り返し線により、指が保護パッドに触れにくくなり、貼付しやすくなった。
【産業上の利用可能性】
【００４３】
本発明は、特殊な素材又は加工等を必要とせず、低コストで製造する絆創膏、特には救急絆創膏である。
【符号の説明】
【００４４】
１  保護パッド
２  支持体
３、３ａ、３ｂ  剥離部材
４  粘着剤
５  摘み部
６  延在部
７、７ａ、７ｂ  折り返し部
１０、２０  絆創膏
Ｅ  端
Ｓ  片面
Ｘ、Ｚ  一端
Ｙ  他端
【図１】
2020174837.tif 000003
【図２】
2020174837.tif 000004
【図３】
2020174837.tif 000005
【図４】
2020174837.tif 000006
【図５】
2020174837.tif 000007
【図６】
2020174837.tif 000008
【図７】
2020174837.tif 000009